(57)【要約】【課題】顧客の興味をそそり店舗訪問への意欲を掻き立てるような、訴求力の高いメールマガジンを簡便且つ容易に作成して配信することができる広告情報配信装置を提供する。【解決手段】商品又はサービスを提供する店舗に設けられたクライアント端末装置２の指示によりメールマガジンを作成し、店舗の顧客が所持するユーザー端末装置３へ電子メールにて配信する広告情報配信装置１は、商品又はサービスを表現するイラストデータの中からクライアント端末装置２が選択したイラストデータを用いて、販売促進広告画像データを画像生成装置１２にて作成する。そして、広告情報配信装置１は、販売促進広告画像データとクライアント端末装置２から送られる文章とに基づきメールマガジン作成装置１３にてメールマガジンを作成し、メール送信装置１５にて、作成したメールマガジンをメールアドレス管理装置１４が管理しているメールアドレス宛てに送信する。【選択図】図２
0003177285.tif 000002
【実用新案登録請求の範囲】
【請求項１】
商品又はサービスを提供する店舗に設けられたクライアント端末装置からの指示によりメールマガジンを作成し、作成した前記メールマガジンを前記店舗の顧客が所持するユーザー端末装置へ電子メールにて配信する広告情報配信装置であって、
前記クライアント端末装置および前記ユーザー端末装置とのウェブインターフェースを行うインターフェース装置と、
登録された顧客のメールアドレスを管理するメールアドレス管理装置と、
前記商品又はサービスを表現する複数のイラストデータを格納しているイラスト保持装置と、
前記イラスト保持装置が保持している前記イラストデータの中から前記クライアント端末装置により選択された前記イラストデータを用いて販売促進広告画像データを作成するソフトウェアプログラムを備えた画像生成装置と、
前記販売促進広告画像データと前記クライアント端末装置から送られる文章とに基づいてメールマガジンを作成するメールマガジン作成装置と、
作成した前記メールマガジンを前記メールアドレス管理装置が管理しているメールアドレス宛てに送信するメール送信装置と、
を備えたことを特徴とする広告情報配信装置。
【請求項２】
前記販売促進広告画像データは、前記イラストデータに価格またはキャッチコピーや説明文を付加した広告媒体であることを特徴とする請求項１に記載の広告情報配信装置。
【請求項３】
前記メール送信装置は、前記メールアドレス管理装置が管理しているメーリングリストの中から、前記顧客の購買実績データに基づいて選択したメールアドレスに前記メールマガジンを送信することを特徴とする請求項１に記載の広告情報配信装置。
【請求項４】
前記メールマガジン作成装置は、前記店舗が顧客別に付与するサービスポイント及び来店実績を管理するサービスポイント管理装置からの情報に基づいて、前記顧客別の次回の来店日を案内するゲーム画像データ又は来店時に付加するサービスポイントの案内画像データを含む前記メールマガジンを作成し、前記メール送信装置は、前記メールマガジンに応じた前記顧客のメールアドレスに送信することを特徴とする請求項１に記載の広告情報配信装置。
【請求項５】
所定の非接触ＩＣを搭載している前記ユーザー端末装置が、前記非接触ＩＣの読み取り機能を有する非接触ＩＣカードリーダからの指示により、空メールを前記インターフェース装置に自動送信することを特徴とする請求項１に記載の広告情報配信装置。
【請求項６】
前記空メールの受信にてユーザー端末装置専用サイトのＵＲＬを表示したメールを返信して、前記ユーザー端末装置専用サイトにて会員登録の手続きを可能にしたことを特徴とする請求項５に記載の広告情報配信装置。
【請求項７】
前記ユーザー端末装置専用サイトは、前記メールマガジンを前記ユーザー端末装置に提供することを特徴とする請求項６に記載の広告情報配信装置。
【請求項８】
前記ユーザー端末装置専用サイトは、抽選ゲームを前記ユーザー端末装置に提供することを特徴とする請求項６に記載の広告情報配信装置。
【考案の詳細な説明】
【技術分野】
【０００１】
本考案は、小売店などの店舗が顧客の端末装置に広告用のメールマガジンを配信する広告情報配信装置に関する。
【背景技術】
【０００２】
従来から流通業界においては、店舗が顧客の端末装置に電子メールによるメールマガジンを発行することで、顧客による来店を促進する試みが行われている。
【０００３】
この場合、電子メールをサーバーで集中管理させて、電子メール配信クライアントである店舗が、インターネットを介してＡＳＰサーバーにアクセスして、メールマガジンの作成や送信を指示することで、メールマガジンを発行するシステムが知られている（例えば、特許文献１を参照）。
【先行技術文献】
【特許文献】
【０００４】
【特許文献１】特開２００４−３２６２０９号公報
【考案の概要】
【考案が解決しようとする課題】
【０００５】
このようなシステムにおいて、メールマガジンを見た顧客に店を訪問しようとする気を強く起させようとすると、メールマガジンの内容が長文となり、しかも、情報記憶量が多い写真画像を含むコンテンツとなるのが通常であり、メールマガジンを作成する側も、作成するための専門知識が必要であったり、文章の内容を考えるのが大変なため、小売店では、店舗からの発信がむつかしく、主に本部の方が作成しているのが現状である。
【０００６】
そのため、特許文献１による従来技術においては、情報量が多大なメールマガジンの通信費用や受信時間のかかり過ぎなどの不具合を解消すべく、メールマガジンンの本文をウェブ上のサイトに掲載して、顧客の端末装置にはメールマガジンンの本文のＵＲＬ表示と本文以外の所要の部分のみ配信し、本文のＵＲＬ表示はハイパーテキストにより記載して、顧客が端末装置に表示されたこのＵＲＬ表示をクリックすると、これにリンクする本文のコンテンツがインターネットを通じて顧客の端末装置にダウンロードするようになっている。
【０００７】
しかし、顧客は、メールマガジンを受信しても、受信した内容が興味をそそらない限りわざわざウェブサイトにまで見に行く確率は低い。また、ウェブサイトに見に行ったとしても、長文のコンテンツでは顧客にとって読むのが煩わしく、メールマガジンによる訴求効果は限定的なものとなる。
【０００８】
このような従来技術の課題に鑑みて、本考案は、顧客の興味を引くと共に店舗訪問の意欲を掻き立てるような、訴求力の高いメールマガジンを簡単且つ容易に作成して配信することができる広告情報配信装置を提供するものである。
【課題を解決するための手段】
【０００９】
上記課題を解決するために、本考案の広告情報配信装置は、商品又はサービスを提供する店舗に設けられたクライアント端末装置からの指示によりメールマガジンを作成し、作成した前記メールマガジンを前記店舗の顧客が所持するユーザー端末装置へ電子メールにて配信する広告情報配信装置であって、前記クライアント端末装置および前記ユーザー端末装置とのウェブインターフェースを行うインターフェース装置と、登録された顧客のメールアドレスを管理するメールアドレス管理装置と、前記商品又はサービスを表現する複数のイラストデータを格納しているイラスト保持装置と、前記イラスト保持装置が保持している前記イラストデータの中から前記クライアント端末装置により選択された前記イラストデータを用いて販売促進広告画像データを作成するソフトウェアプログラムを備えた画像生成装置と、前記販売促進広告画像データと前記クライアント端末装置から送られる文章とに基づいてメールマガジンを作成するメールマガジン作成装置と、作成した前記メールマガジンを前記メールアドレス管理装置が管理しているメールアドレス宛てに送信するメール送信装置と、を備えたことを特徴としている。このとき、前記販売促進広告画像データは、前記イラストデータに価格またはキャッチコピーや説明文を付加した広告媒体であることを特徴としている。
【００１０】
前記メール送信装置は、前記メールアドレス管理装置が管理しているメーリングリストの中から、前記顧客の購買実績データに基づいて選択したメールアドレスに前記メールマガジンを送信することを特徴としている。
【００１１】
そして、前記メールマガジン作成装置は、前記店舗が顧客別に付与するサービスポイント及び来店実績を管理するサービスポイント管理装置からの情報に基づいて、前記顧客別の次回の来店日を案内するゲーム画像データ又は来店時に付加するサービスポイントの案内画像データを含む前記メールマガジンを作成し、前記メール送信装置は、前記メールマガジンに応じた前記顧客のメールアドレスに送信することを特徴としている。
【００１２】
また、所定の非接触ＩＣを搭載している前記ユーザー端末装置が、前記非接触ＩＣの読み取り機能を有する非接触ＩＣカードリーダからの指示により空メールを前記インターフェース装置に自動送信することを特徴としている。前記空メールの受信にてユーザー端末装置専用サイトのＵＲＬを表示したメールを返信して、前記ユーザー端末装置専用サイトにて会員登録の手続きを可能にしたことを特徴としている。
【００１３】
また、前記ユーザー端末装置専用サイトは、前記メールマガジンを前記ユーザー端末装置に提供することを特徴としている。さらに、前記ユーザー端末装置専用サイトは、抽選ゲームを前記ユーザー端末装置に提供することを特徴としている。
【００１４】
尚、本願において「ユーザー端末装置」とは、ディスプレイを搭載する全ての種類の携帯電話機、高機能携帯端末装置を含む。
【考案の効果】
【００１５】
本考案に係る広告情報配信装置は、イラストや写真による販売促進広告画像データにてメールマガジンを作成するために、顧客への訴求力が高まり店舗にとって集客力の向上が図れると共に顧客の離反を防ぐことが可能になる。そして、店舗にとっては、予め用意されたイラストや写真の中から所望のものを選択して、簡単な文章を付加するだけで済み、手間を掛けずに訴求効果の高いメールマガジンを簡単に発行することができる。
【図面の簡単な説明】
【００１６】
【図１】本考案に係る広告情報配信装置を含むシステム全体の構成を説明する図である。
【図２】本考案に係る広告情報配信装置の構成をブロックにて説明する図である。
【図３】メールマガジン作成ウェブサイトのホームページ画面の模式的な説明図である。
【図４】処理選択ページ画面の模式的な説明図である。
【図５】素材集検索画面の模式的な説明図である。
【図６】選択した画像のダウンロード画面の模式的な説明図である。
【図７】メルマガＰＯＰ作成画面の模式的な説明図である。
【図８】作成した販売促進広告画像データの説明図である。
【図９】メールマガジンの具体例の説明図である。
【図１０】プロモーション取り込み画面の模式的な説明図である。
【図１１】クーポン券のメールマガジンの具体例の説明図である。
【図１２】（ａ）部は示すビンゴカレンダーを含むメールマガジンの説明図、（ｂ）部はポイント券の発行を案内するメールマガジンの説明図である。
【図１３】抽選ゲームを実行するウェブページ参加登録画面の模式的な説明図である。
【図１４】（ａ）部、（ｂ）部、（ｃ）部にてスタンプ画面の推移を模式的に示す説明図である。
【図１５】（ａ）部は抽選スタート画面、（ｂ）部はアタリ画面、（ｃ）部はハズレ画面をそれぞれ模式的に示す説明図である。
【図１６】クーポン表示画面の模式的な説明図である。
【図１７】本考案に係る広告情報配信装置を含むシステム全体の他の構成を説明する図である。
【考案を実施するための形態】
【００１７】
以下、本考案の実施の形態について、図面を参照しながら説明する。図１は、本考案に係る広告情報配信装置を含むシステム全体の構成を示し、広告情報配信装置であるＡＳＰ（アプリケーション・サービス・プロバイダ）サーバー１と、クライアント端末装置２と、ユーザー端末装置３、３Ａとは移動体通信網やインターネットを含む通信ネットワーク４を通して繋がっている。
【００１８】
ＡＳＰサーバー１は、広告情報配信サービス事業者によって運営されておりメールマガジン作成ウェブサイトを開設している。店舗６である広告情報配信クライアントは、クライアント端末装置２にてこのウェブサイトにアクセスして、所定のＩＤ番号およびパスワードを入力することによりメールマガジン作成ページが開かれる。クライアントは、クライアント端末装置２に表示されるこのメールマガジン作成ページ画面に所定の入力操作を行うことで、ＡＳＰサーバー１にてメールマガジンが作成される。そして、ＡＳＰサーバー１は、クライアント端末装置２からの指示により、ユーザー端末装置３、３Ａに対して作成したメールマガジンを配信する。
【００１９】
したがって、本実施形態においては、広告情報配信装置であるＡＳＰサーバー１は、クライアント端末装置２からのアクセスによりメールマガジンの作成サービスと共に、作成したメールマガジンを所定のメールアドレスのユーザー端末装置３、３Ａに配信するサービスを行うようになっている。
【００２０】
ここでのユーザーとは、店舗にメールアドレス等を登録したメール会員の顧客であり、メール会員顧客はメールマガジンを受信することで、店舗での値引きサービス情報やイベント情報などを知ることができる。ユーザー端末装置３、３Ａとしては、携帯電話やスマートフォンなどの携帯情報機器が使用されるがパーソナルコンピュータであっても良い。
【００２１】
店舗内での売上発生時における販売情報やそのときの顧客の属性情報などがＰＯＳ（販売時点情報管理）システムで管理している場合には、ＡＳＰサーバー１はＰＯＳシステム７と連携して特定の条件を有した顧客にのみメールマガジンを配信することもできる。
【００２２】
図１に示す例でのＰＯＳシステム７は、ＰＯＳ端末装置７Ａを店舗６内に設置しており、センター側に配設しているホストコンピュータ７Ｂにて、複数の店舗６のＰＯＳ端末装置７Ａに入力されるＰＯＳデータを収集して店舗別に格納する。ホストコンピュータ７Ｂは、予めメールアドレスを登録しているメール会員顧客に対しては、メールアドレスに紐付けてＰＯＳデータを管理している。したがって、ホストコンピュータ７ＢからＡＳＰサーバー１にメール会員の顧客に関するＰＯＳデータをバッチ処理で定期的に送信しておくことで、特定の購買実績や属性を有した顧客のみへのメールマガジンの配信が可能となる。
【００２３】
顧客の会員への登録手続きに関して、ＦｅｌｉＣａ（登録商標）チップを内蔵した所定の非接触ＩＣを搭載しているおサイフケータイ（登録商標）機能を有する携帯電話やスマートフォンのユーザーは、ＦｅｌｉＣａチップの読み取り機能を有した非接触ＩＣカードリーダ５を利用して行うことができる。
【００２４】
この場合、非接触ＩＣカードリーダ５は店舗６に設けられていて、非接触ＩＣカードリーダ５は、おサイフケータイ（登録商標）機能を有する携帯電話やスマートフォンがかざされると、この携帯電話やスマートフォンの電子メール機能を起動させて、ＡＳＰサーバー１に向けて空メールを送信する画面を表示させる機能を有している。
【００２５】
非接触ＩＣカードリーダ５の作用によりユーザー端末装置３ＡがＡＳＰサーバー１に空メールを送信すると、ＡＳＰサーバー１は、会員登録を促すメールをこのユーザー端末装置３Ａに送信する。そして、ユーザー端末装置３Ａのユーザーが、ＡＳＰサーバー１より送られてきた会員登録を促すメールの中に記述されているＵＲＬをクリックすると、ＡＳＰサーバー１に用意されているユーザーの属性を登録する画面に誘導され、会員登録に必要な項目を入力するようになっている。
【００２６】
ＡＳＰサーバー１は、店舗６において実施するポイントサービスや来店ビンゴゲーム等のポイント会員個々へのプロモーションプログラムと連携してメールマガジンを配信することもできる。本実施形態においては、会員の顧客が店舗６でポイントカード（図示せず）を提示することで、ＰＯＳシステム７は当該顧客の売上実績や来店実績を、会員への個別のプロモーションプログラムを提供する会員個別プロモーション提供サーバー８に送信し、サーバー８にて会員別のポイントや来店実績が管理される。そして、ＡＳＰサーバー１は、サーバー８からのポイントデータや来店実績データを基にしたメールマガジンを作成して配信する。
【００２７】
このように、会員の個別のポイントデータや来店実績を管理するサービスポイント管理装置である会員個別プロモーション提供サーバー８は、広告情報配信サービス事業者によって運営されるとは限らず、会員個々へのプロモーションプログラムを行う事業者に運営されていることもあり得る。逆に、ＡＳＰサーバー１に会員個別プロモーション提供機能を取り込んでいても良い。
【００２８】
上記のＡＳＰサーバー１について、図２によって具体的に説明する。ＡＳＰサーバー１は、インターフェース装置１０、イラスト保持装置１１、画像生成装置１２、メールマガジン作成装置１３、メールアドレス管理装置１４、メール送信装置１５、ＰＯＳデータ管理装置１６及び携帯サイト提供装置１７の各機能を備えている。
【００２９】
インターフェース装置１０は、通信ネットワーク４上に前記メールマガジン作成ウェブサイトを開設しており、ウェブサイトの訪問者とのウェブユーザーインターフェースを行う。
【００３０】
イラスト保持装置１１は、ユーザー端末装置３に配信するメールマガジンに使用するために予め作成してある各種イラストデータを格納している。イラストデータは、店舗で販売する各種商品または提供するサービスを簡単な絵にて表わすものである。
【００３１】
クライアントは各種イラストデータの中から所望のイラストデータを選択することができ、画像生成装置１２は、選択されたイラストデータに基づき販売促進広告画像データを作成する。ここで言う販売促進広告画像データとは、商品やサービスを表すイラストに価格またはキャッチコピーや簡単な説明文などを付加して視覚的に顧客に訴えやすいようにした、いわゆるＰＯＰ広告と呼ばれている広告媒体を意味しており、画像生成装置１２は、所定のソフトウェアプログラムに従って販売広告画像データを作成する。
【００３２】
クライアントによるイラストの選択にて、画像生成装置１２は、画像選択ページ２２をクライアント端末装置２に表示する。これにより、クライアントは、クライアント端末装置２の画面に表示される画像選択ページ２２において、発行するメールマガジンに使用するイラストを選択する。そして、画像生成装置１２は、選択されたイラストデータと、クライアントがイラストの選択と共に入力する当該イラストに関連する情報とに基づいて販売促進広告画像データを作成する。
【００３３】
メールマガジン作成装置１３は、画像生成装置１２が作成する販売促進広告画像データとクライアントが作成するメールマガジンの本文とでメールマガジンを作成する。この場合、メールマガジン作成装置１３は、本文入力ページ２３をクライアント端末装置２に表示する。そして、クライアントは、クライアント端末装置２の画面に表示される本文入力ページ２３において、発行するメールマガジンの本文の文章を入力して、メールマガジン作成装置１３に送信する。
【００３４】
メール送信装置１５は、メールマガジン作成装置１３が作成したメールマガジンを、メールアドレス管理装置１４が管理しているメーリングリストの中から当該クライアント端末装置２の店舗に関係する顧客のメールアドレスに送信する。
【００３５】
ＰＯＳデータ管理装置１６は、ＰＯＳシステム７のセンター側のコンピュータ７Ｂからバッチ処理にて定期的に送られてくる各店舗内でのメール会員顧客の購買データを格納する。
【００３６】
携帯サイト提供装置１７は、おサイフケータイ（登録商標）機能を有するユーザー端末装置３Ａを非接触ＩＣカードリーダ５にかざしたとき、ユーザー端末装置３Ａが閲覧することができる携帯用ユーザー端末装置向けの専用サイト（以下、「携帯電話専用サイト」という）を運営している。この携帯電話専用サイトはウェブページにて、会員登録時の入力画面やメールマガジンや電子チラシなどの情報、さらには顧客が視認できるような形態での抽選ゲームの実行画面を携帯サイト提供装置１７の画面に表示する。
【００３７】
上記構成によるＡＳＰサーバー１の動作を説明する。図３は、インターフェース装置１０が開設しているメールマガジン作成ウェブサイトのホームページ画面２０を模式的に示しており、アクセスしたクライアント端末装置２のディスプレイ上に表示される。そして、クライアントが、画面上にＩＤ番号およびパスワードを入力して「ログイン」をクリックすると、インターフェース装置１０にて、メールマガジン作成ウェブサイトの画面は図４に示す会員専用の処理選択ページ画面２１に切り換わりクライアント端末装置２のディスプレイ上に表示される。クライアントにより選択される処理には、「メルマガ素材集」、「メルマガＰＯＰ作成」、「メルマガ作成」及び「プロモーション」がある。
【００３８】
「メルマガ素材集」がクリックにより選択されたことをインターフェース装置１０が検出するとＡＳＰサーバー１の画像生成装置１２が機能して、インターフェース装置１０を介して、画像選択ページ２２の中から図５に示す素材集検索画面をクライアント端末装置２のディスプレイ上に表示する。そして、クライアント端末装置２側の処理にて、「大分類」欄および「名前」に希望する商品またはサービス内容に該当する項目をプルダウンメニューから選択すると、画像生成装置１２は該当するイラストデータをイラスト保持装置１１から読み出してきて、インターフェース装置１０を介して、図６に示すダウンロード画面にてクライアント端末装置２のディスプレイ上にイラスト画像を表示する。
【００３９】
図４に示す処理選択ページ２１の画面から「メルマガＰＯＰ作成」が選択されたことをインターフェース装置１０が検出すると、このときも画像生成装置１２が機能して、画像選択ページ２２の中から図７に示すメルマガＰＯＰ作成画面をクライアント端末装置２のディスプレイ上に表示する。そして、クライアント端末装置２側の処理にて、この画面にダウンロードしたイラスト画像を貼り付け、商品名「たまご」と金額「１パック９８円」を入力すると、画像生成装置１２は、この貼り付けられたイラストデータとこれら文字入力とにより、図８に示す「たまご」の販売促進広告画像データを作成して、インターフェース装置１０を介して、クライアント端末装置２のディスプレイ上に表示する。「たまご」の販売促進広告画像データを確認したクライアントは、クライアント端末装置２側の処理にて、同じく画面上に表示されているＰＯＰ登録欄３１に登録名を入力して登録することにより、画像生成装置１２はこのクライアントのＩＤコードに関連して「たまご」の販売促進広告画像データを格納する。
【００４０】
図４に示す処理選択ページ２１の画面から「メルマガ作成」が選択されたことをインターフェース装置１０が検出すると、ＡＳＰサーバー１のメールマガジン作成装置１３が機能して、インターフェース装置１０を介して、図９に示す本文入力ページ２３をクライアント端末装置２のディスプレイ上に表示する。本文入力ページ２３は、ヘッダー部２６とフッター部２７とが予めデフォルトされており、クライアントはクライアント端末装置２側の処理にて、ヘッダー部２６およびフッター部２７における例えば日付などの変数部分と、登録した中から所望の販売促進広告画像データ２５とを指示し、必要に応じて各販売促進広告画像データ２５に関するコメント欄２８と結語欄２９に文章を入力することで、メールマガジン作成装置１３はメールマガジンを作成する。
【００４１】
そして、メールマガジンの完成後、本文入力ページ２３の「メルマガ配信」がクリック処理されるのをインターフェース装置１０が検出すると、ＡＳＰサーバー１のメール送信装置１５が機能して、メールマガジン作成装置１３にて作成されたメールマガジンを、当該クライアントに関連してメールアドレス管理装置１４が管理しているメールアドレスに宛てて送信する。
【００４２】
メールマガジンの宛て先は、クライアントの要望に応じて特定の顧客のユーザー端末装置３に配信することもできる。この場合、図４に示す処理選択ページ２１の画面から「プロモーション」が選択されたことをインターフェース装置１０が検出すると、メール送信装置１５はインターフェース装置１０を介して、図１０に示すプロモーション取り込み画面をクライアント端末装置２のディスプレイ上に表示する。
【００４３】
プロモーション取り込み画面においては、クライアントはクライアント端末装置２側の処理にて、プロ―モーション名３０とともにメールマガジンを送信する顧客についての所定の検索式を検索欄３３に入力する。検索欄３３には、例えば、図１１にて示すクーポン券のメールマガジンをＡ社製のカレーを購入したある一定の条件の顧客に発行するのであれば、この顧客を抽出する検索式を入力する。ＰＯＳデータ管理装置１６は、予めＰＯＳシステム７のセンター側のコンピュータ７Ｂから送られてくる当該クライアントの店舗内での顧客の購買データを格納しており、メール送信装置１５は、ＰＯＳデータ管理装置１６の管理データの中からこの検索条件に適う顧客のメールアドレスを抽出する。
【００４４】
メールマガジン作成装置１３にて本文入力ページ２３で作成される図１１のクーポン券のメールマガジンも、ヘッダー部３２とフッター部２３とが予めデフォルトされている。そして、クライアントがクライアント端末装置２側の処理にて、登録した中から販売促進広告画像データに使用する画像を指示することで、メールマガジン作成装置１３にてメールマガジンが作成される。作成後、クライアント端末装置２からのメルマガ配信の指示により、メール送信装置１５は、プロモーションの登録で抽出した顧客のユーザー端末装置３、３Ａにクーポン券のメールマガジンを送信する。
【００４５】
メールマガジン作成装置１３は、サーバー８から当該店舗６におけるポイント会員別のポイントや来店実績を収集することで、店舗６において実施するポイントサービスや来店ビンゴゲーム等の会員個々へのプロモーションプログラムと連携したメールマガジンを作成し、メール送信装置１５は当該顧客のメールアドレスに宛てて配信することができる。図１２の（ａ）部に示すメールマガジンは、ビンゴカレンダーにて当月７日と少なくとも３日から５日までの何れかに来店のあった顧客に対して、１１日に来店して買い物すればビンゴとなり、所定のサービスが受けられることを案内している。また、図１２の（ｂ）部に示すメールマガジンは、当月の購買金額の実績に応じた今後の購買金額に応じて所定のポイント券の発行を案内している。
【００４６】
顧客が所定の非接触ＩＣを内蔵するユーザー端末装置３Ａを店舗内に設置されている非接触ＩＣカードリーダ５にかざすと、非接触ＩＣカードリーダ５は、認証したユーザー端末装置３Ａのメーラーを起動させて、ＡＳＰサーバー１に向けての空メールの送信を指示する。前述したごとく、この空メールに対するＡＳＰサーバー１の返信メールの中に記述されているＵＲＬをクリックすると、ユーザー端末装置３Ａは、携帯サイト提供装置１７が提供する携帯電話専用サイトに誘導される。そして、携帯電話専用サイトにおいて表示される会員登録の入力画面にて会員登録が行われると、メールアドレス管理装置１４には入力されたメールアドレスが格納される。したがって、次回からは、この新規登録会員のメールアドレスにもメールマガジンが適宜、配信されることになる。
【００４７】
そして、会員登録により、次にユーザー端末装置３Ａを非接触ＩＣカードリーダ５にかざすと、認証の得られたユーザー端末装置３Ａはインターフェース装置１０に接続されて、インターフェース装置１０により携帯サイト提供装置１７が運営する携帯電話専用サイトに誘導される。これにより、ウェブページに掲載されているメールマガジンや電子チラシは直接、ユーザー端末装置３Ａの表示画面に表示させることができる。
【００４８】
さらに、非接触ＩＣカードリーダ５を利用して、携帯サイト提供装置１７は、店舗の顧客に抽選サービス及びレシピサービスを提供することもできる。抽選サービスの場合は、携帯電話専用サイトから、抽選ゲームの実行を示すウェブページをユーザー端末装置３Ａの表示画面に表示する。具体的には、先ず、図１３に示すトップ画面にて顧客が参加登録すると、図１４の（ａ）部に示すスタンプが１個のシート画面が表示される。そして、次回に顧客がユーザー端末装置３Ａを非接触ＩＣカードリーダ５にかざして携帯電話専用サイトに誘導されたときは、携帯サイト提供装置１７は、図１４の（ｂ）部に示すスタンプが２個のシート画面をユーザー端末装置３Ａに表示する。そして、図１４の（ｃ）部に示すスタンプが３個となると、携帯サイト提供装置１７は、図１５の（ａ）部に示す抽選の画面をユーザー端末装置３Ａに表示し、予め設定された確率にて、図１５の（ｂ）部に示す「アタリ」演出画面または図１５の（ｃ）部に示す「ハズレ」演出画面を表示する。携帯サイト提供装置１７は、「アタリ」演出画面を表示したときは、続いて図１６に示すクーポン表示画面をユーザー端末装置３Ａに表示する。
【００４９】
レシピサービスの場合は、携帯電話専用サイトから、顧客が必要なレシピを選びユーザー端末装置３Ａの表示画面に表示することができる。
【００５０】
上記した実施形態においては、ＡＳＰサーバー１は、メールマガジン作成のアプリケーションと共に、所定の非接触ＩＣカードを搭載したユーザー端末装置３Ａに対する抽選サービス等のサービスサイト提供のアプリケーションやメールマガジン配信サービスを一括して行うが、これらの機能をそれぞれ別のウェブサーバー３５、３６にて実行させても良い。
【００５１】
図１７は、ＡＳＰサーバー１におけるメールアドレス管理装置１４とメール送信装置１５との機能をウェブサーバー３５にて行い、携帯サイト提供装置１７の機能をウェブサーバー３６にて行うよう構成した実施形態を示している。この場合、メール送信ウェブサーバー３５と携帯サイト提供ウェブサーバー３６は、それぞれ会員個別プロモーション提供サーバー８と同様、広告情報配信サービス事業者によって運営されているとは限らず、メール送信ウェブサーバー３５は電子メール配信サービスを行う事業者が運営し、携帯サイト提供ウェブサーバー３６は携帯サイトを提供する事業者が運営することもあり得る。
【００５２】
そして、図１７において、ＡＳＰサーバー１がクライアント端末装置２に指示に沿って作成した販売促進広告画像データを含むメールマガジンとクライアント情報とをメール送信ウェブサーバー３５に伝送すると、ウェブサーバー３５は送られてきたメールマガジンをこのクライアントの店舗の顧客に配信する。
【００５３】
また、非接触ＩＣカードリーダ５に誘導されてユーザー端末装置３ＡがＡＳＰサーバー１にアクセスすると、ＡＳＰサーバー１のインターフェース装置１０はリダイレクト３７してユーザー端末装置３Ａを携帯サイト提供ウェブサーバー３６に接続する。これにより、サーバー３６は、携帯サイト画面をユーザー端末装置３Ａに表示して、抽選サービス等のサービス情報を提供する。
【産業上の利用可能性】
【００５４】
本考案は、通信ネットワークを介して店舗からの指示で広告用のメールマガジンを作成して、これを店舗の顧客に送信する広告情報配信装置であり、産業上の利用可能性を有する。
【符号の説明】
【００５５】
１      広告情報配信装置（ＡＳＰサーバー）
２      クライアント端末装置
３      ユーザー端末装置
３Ａ    ユーザー端末装置
４      通信ネットワーク
５      非接触ＩＣカードリーダ
１０    インターフェース装置
１２    画像生成装置
１３    メールマガジン作成装置
１４    メールアドレス管理装置
１５    メール送信装置
【図１】
0003177285.tif 000003
【図２】
0003177285.tif 000004
【図３】
0003177285.tif 000005
【図４】
0003177285.tif 000006
【図５】
0003177285.tif 000007
【図６】
0003177285.tif 000008
【図７】
0003177285.tif 000009
【図８】
0003177285.tif 000010
【図９】
0003177285.tif 000011
【図１０】
0003177285.tif 000012
【図１１】
0003177285.tif 000013
【図１２】
0003177285.tif 000014
【図１３】
0003177285.tif 000015
【図１４】
0003177285.tif 000016
【図１５】
0003177285.tif 000017
【図１６】
0003177285.tif 000018
【図１７】
0003177285.tif 000019